【手続補正書】
【提出日】平成20年7月29日(2008.7.29)
【手続補正１】
【補正対象書類名】明細書
【補正対象項目名】発明の名称
【補正方法】変更
【補正の内容】
【発明の名称】通信装置、機器管理方法、及びプログラム
【手続補正２】
【補正対象書類名】明細書
【補正対象項目名】特許請求の範囲
【補正方法】変更
【補正の内容】
【特許請求の範囲】
【請求項１】  所定の無線通信規格に従って通信相手機器と通信を行うことのできる通信手段と、
上記通信手段により通信相手機器と通信を行う際において、この通信相手機器との通信に関連した所要の通信履歴情報を取得して保持する情報保持手段と、
上記情報保持手段により通信履歴情報が保持されている通信相手機器を管理対象として、上記通信履歴情報に基づいて、管理対象の通信相手機器について所定の態様による管理を実行可能とされる管理手段と、
を備えている通信装置。
【請求項２】  上記通信履歴情報は、
上記管理対象の通信相手機器ごとに固有となるようにして与えられるアドレス、上記管理対象の通信相手機器ごとに付与される名称情報、上記管理対象の通信相手機器ごとの機器種別を示す情報、上記管理対象の通信相手機器が本通信装置と最後に接続した時刻を示す情報、上記管理対象の通信相手機器が本通信装置と接続した回数を示す情報、上記管理対象の通信相手機器が上記無線通信規格下でサポートする通信方法を示す情報、及び、本通信装置が現在認識している上記管理対象の通信相手機器の状態を示す情報の少なくともいずれか１つより成る、
請求項１に記載の通信装置。
【請求項３】
上記管理手段は、
上記所定の態様による管理として、上記管理対象の通信相手機器のソートを実行する、
請求項１に記載の通信装置。
【請求項４】
上記管理手段は、
上記通信履歴情報とされる上記管理対象の通信相手機器ごとに付与される名称情報に基づいた名称順によるソートを実行する、
請求項３に記載の通信装置。
【請求項５】
上記管理手段は、
上記通信履歴情報とされる上記管理対象の通信相手機器が本通信装置と接続した回数を示す情報に基づいた接続回数順によるソートを実行する、
請求項３に記載の通信装置。
【請求項６】
上記管理手段は、
上記所定の態様による管理として、上記管理対象の通信相手機器の分類を実行する、
請求項１に記載の通信装置。
【請求項７】
上記管理手段は、
上記通信履歴情報とされる上記管理対象の通信相手機器ごとの機器種別を示す情報に基づいた、機器種別ごとによる分類を実行する、
請求項６に記載の通信装置。
【請求項８】
上記管理手段は、
上記通信履歴情報とされる本通信装置が現在認識している上記管理対象の通信相手機器の状態を示す情報に基づいた、現在の上記管理対象の通信相手機器の状態ごとによる分類を実行する、
請求項６に記載の通信装置。
【請求項９】
上記管理手段は、
上記通信履歴情報とされる上記管理対象の通信相手機器が上記無線通信規格下でサポートする通信方法を示す情報に基づいて、上記管理対象の通信相手機器が上記無線通信規格下でサポートする通信方法ごとによる分類を実行する、
請求項６に記載の通信装置。
【請求項１０】
上記管理手段は、
上記所定の態様による管理として、上記管理対象の通信相手機器の検索を実行する、
請求項１に記載の通信装置。
【請求項１１】
上記管理手段は、
上記通信履歴情報とされる上記管理対象の通信相手機器ごとに付与される名称情報を検索条件として検索を実行する、
請求項１０に記載の通信装置。
【請求項１２】
上記管理手段は、
上記所定の態様による管理として、上記管理対象とされている通信相手機器について、上記管理対象からの削除を実行する、
請求項１に記載の通信装置。
【請求項１３】
上記管理手段は、
上記通信履歴情報とされる上記管理対象の通信相手機器が上記無線通信規格下でサポートする通信方法を示す情報を利用して、指定された上記通信方法をサポートする通信相手機器を上記管理対象から削除する、
請求項１２に記載の通信装置。
【請求項１４】
上記管理手段は、
上記通信履歴情報とされる上記管理対象の通信相手機器が本通信装置と最後に接続した時刻を示す情報を利用して、指定された時刻以前において最後に接続された通信相手機器を上記管理対象から削除する、
請求項１２に記載の通信装置。
【請求項１５】
上記管理手段は、
上記通信履歴情報とされる本通信装置が現在認識している上記管理対象の通信相手機器の状態を示す情報を利用して、指定された上記状態の通信相手機器を上記管理対象から削除する、
請求項１２に記載の通信装置。
【請求項１６】
上記管理手段は、
上記通信履歴情報とされる上記管理対象の通信相手機器が本通信装置と接続した回数を示す情報を利用して、指定された上記回数以下の状態の通信相手機器を上記管理対象から削除する、
請求項１２に記載の通信装置。
【請求項１７】  所定の無線通信規格に従って通信相手機器と通信を行うことのできる通信手段と、
上記通信手段により通信相手機器と通信を行う際において、この通信相手機器との通信に関連した所要の通信履歴情報を取得して保持する情報保持手段と、
上記情報保持手段により通信履歴情報が保持されている通信相手機器を管理対象として、上記通信履歴情報に基づいて、管理対象の通信相手機器について所定の態様による管理を実行可能とされる管理手段と、
上記管理対象の通信相手機器が表示されるとともに、上記管理手段による管理の結果が反映されるようにして操作画面の表示が行われるように制御する表示制御手段と、
を備えている通信装置。
【請求項１８】  所定の無線通信規格に従って通信相手機器と通信を行うことのできる通信手順と、
上記通信手順により通信相手機器と通信を行う際において、この通信相手機器との通信に関連した所要の通信履歴情報を取得して保持する情報保持手順と、
上記情報保持手順により通信履歴情報が保持されている通信相手機器を管理対象として、上記通信履歴情報に基づいて、管理対象の通信相手機器について所定の態様による管理を実行可能とされる管理手順と、
を実行する機器管理方法。
【請求項１９】  所定の無線通信規格に従って通信相手機器と通信を行うことのできる通信手順と、
上記通信手順により通信相手機器と通信を行う際において、この通信相手機器との通信に関連した所要の通信履歴情報を取得して保持する情報保持手順と、
上記情報保持手順により通信履歴情報が保持されている通信相手機器を管理対象として、上記通信履歴情報に基づいて、管理対象の通信相手機器について所定の態様による管理を実行可能とされる管理手順と、
上記管理対象の通信相手機器が表示されるとともに、上記管理手順による管理の結果が反映されるようにして操作画面の表示が行われるように制御する表示制御手順と、
を実行する機器管理方法。
【請求項２０】  所定の無線通信規格に従って通信相手機器と通信を行うことのできる通信手順と、
上記通信手順により通信相手機器と通信を行う際において、この通信相手機器との通信に関連した所要の通信履歴情報を取得して保持する情報保持手順と、
上記情報保持手順により通信履歴情報が保持されている通信相手機器を管理対象として、上記通信履歴情報に基づいて、管理対象の通信相手機器について所定の態様による管理を実行可能とされる管理手順とを、通信装置に実行させるためのプログラム。
【請求項２１】  所定の無線通信規格に従って通信相手機器と通信を行うことのできる通信手順と、
上記通信手順により通信相手機器と通信を行う際において、この通信相手機器との通信に関連した所要の通信履歴情報を取得して保持する情報保持手順と、
上記情報保持手順により通信履歴情報が保持されている通信相手機器を管理対象として、上記通信履歴情報に基づいて、管理対象の通信相手機器について所定の態様による管理を実行可能とされる管理手順と、
上記管理対象の通信相手機器が表示されるとともに、上記管理手順による管理の結果が反映されるようにして操作画面の表示が行われるように制御する表示制御手順とを、通信装置に実行させるプログラム。
【手続補正３】
【補正対象書類名】明細書
【補正対象項目名】０００１
【補正方法】変更
【補正の内容】
【０００１】
【発明の属する技術分野】
本発明は、他の機器と通信を行うことのできる通信装置と、この通信装置が実行する機器管理方法と、この通信装置としての所定の機能を実現するためのプログラムとに関するものである。
【手続補正４】
【補正対象書類名】明細書
【補正対象項目名】０００６
【補正方法】変更
【補正の内容】
【０００６】
【課題を解決するための手段】
そこで本発明は上記した課題を考慮して、通信装置として次のように構成する。
つまり、所定の無線通信規格に従って通信相手機器と通信を行うことのできる通信手段と、この通信手段により通信相手機器と通信を行う際において、この通信相手機器との通信に関連した所要の通信履歴情報を取得して保持する情報保持手段と、この保持取得手段により通信履歴情報が保持されている通信相手機器を管理対象として、通信履歴情報に基づいて、管理対象の通信相手機器について所定の態様による管理を実行可能とされる管理手段とを備えることとした。
また、機器管理方法として次のように構成する。
つまり、所定の無線通信規格に従って通信相手機器と通信を行うことのできる通信手順と、この通信手順により通信相手機器と通信を行う際において、この通信相手機器との通信に関連した所要の通信履歴情報を取得して保持する情報保持手順と、この情報保持手順により通信履歴情報が保持されている通信相手機器を管理対象として、通信履歴情報に基づいて、管理対象の通信相手機器について所定の態様による管理を実行可能とされる管理手順とを実行することとした。
【手続補正５】
【補正対象書類名】明細書
【補正対象項目名】００５１
【補正方法】変更
【補正の内容】
【００５１】
この図に示すように操作画面は、操作ウィンドウ１００としてウィンドウの態様によって表示されることとなっている。
この操作ウィンドウ１００の左側には、マスタ表示部１１１が表示される。このマスタ表示部１１１は、マスタとしての機器を視覚的に示すものとされ、この場合には、パーソナルコンピュータ１０自身を示すものとして表示されることになる。
このマスタ表示部１１１は、デバイス名表示部１１１ａとアドレス表示部１１１ｂから成るものとされ、デバイス名表示部１１１ａには、その機器種別（Device Class)と、デバイス名（Device Name)が示される。この場合には、機器種別（Device Class)として「コンピュータ」の文字が表示され、デバイス名（Device Name)として「レッド用コンピュータ」と表示されている。また、これら文字による機器種別（Device Class)とデバイス名（Device Name)の表示部位の右側には、コンピュータを図案化したアイコンが表示されることで、マスタのデバイスがパーソナルコンピュータであることを容易に認識できるようにしている。
【手続補正６】
【補正対象書類名】明細書
【補正対象項目名】００５２
【補正方法】変更
【補正の内容】
【００５２】
一方、操作ウィンドウ１００内の右側には、管理対象スレーブ表示エリア１１０が表示される。
この管理対象スレーブ表示エリア１１０には、スレーブの情報が示されることになる。そして、ここでは複数のスレーブを、それぞれスレーブ表示部（１１３〜１１９・・・）により示している。この場合には、７つのスレーブ表示部（１１３〜１１９）が、図示するようにして、略円弧状に配置されている状態が示されている。
例えば、スレーブ表示部のうちで、最前面に出るようにして表示されるスレーブ表示部１１６を例に採ると、このスレーブ表示部１１６は、デバイス名表示部１１６ａとアドレス表示部１１６ｂとから成る。つまり、マスタ表示部１１１と同様の態様とされている。残る各スレーブ表示部１１３〜１１５、１１７〜１１９についても、同様にして、デバイス名表示部１１３ａ〜１１５ａ，１１７ａ〜１１９ａと、アドレス表示部１１３ｂ〜１１５ｂ，１１７ｂ〜１１９ｂから成る。